【手続補正書】
【提出日】平成22年4月22日(2010.4.22)
【手続補正１】
【補正対象書類名】特許請求の範囲
【補正対象項目名】全文
【補正方法】変更
【補正の内容】
【特許請求の範囲】
【請求項１】
エアフィルタカートリッジであって、
（ａ）単一フェーサ媒体の複数の細長片と、対向する第１流れ面および第２流れ面とを有する媒体パック構成物を有し、
（i）前記第１流れ面は、前記単一フェーサ媒体の複数の細長片が内側に向かってＶ字形となる面を形成することによって前記第１流れ面中に形成された中央くぼみ部を有し、
（ii）前記第２流れ面は、前記単一フェーサ媒体の複数の細長片が外側に向かってＶ字形となる面を形成することによって前記第２流れ面中に形成された中央突起部を有することを特徴とするエアフィルタカートリッジ。
【請求項２】
（ａ）前記媒体パック構成物は、単一フェーサ媒体の複数の細長片の第１および第２の傾斜した積層体を有し、
（i）前記第１および第２の傾斜した積層体は、それぞれ対抗する第１および第２流れ面を有し、
（Ａ）前記第１の傾斜した積層体の第１流れ面は、前記第２の傾斜した積層体の第１流れ面に向かう方向に鋭角に傾斜して配向されており、
（Ｂ）前記第１の傾斜した積層体の第２流れ面は、前記第２の傾斜した積層体の第２流れ面から離れる方向に鈍角に傾斜して配向されていることを特徴とする請求項１に記載のエアフィルタカートリッジ。
【請求項３】
（ａ）前記第１および第２の傾斜した積層体は、１つの中央ピースの対向する側面上に配置されていることを特徴とする請求項２に記載のエアフィルタカートリッジ。
【請求項４】
（ａ）前記第１の傾斜した積層体は縦溝流路側部を有し、
（ｂ）前記第２の傾斜した積層体は縦溝流路側部を有し、
（ｃ）前記第１および第２の傾斜した積層体は、前記中央ピースに隣接するそれぞれの縦溝流路側部で前記中央ピースに固定されていることを特徴とする請求項２に記載のエアフィルタカートリッジ。
【請求項５】
（ａ）前記媒体パック構成物の対向する側端部に固定されている鋳型成形された第１と第２の端部ピースを有し、
（ｂ）前記鋳型成形された端部ピースはそれぞれ、前記媒体パック構成物を通過する流れ方向に垂直に延びている第１端部と、前記第１端部に対向する第２端部であって、中央の外側に突き出ている頂点と、対向する２つの側部部分を持つＶ字形である前記第２端部とを含み、
（i）前記端部ピースの前記第２端部は、５０°〜１５０°の範囲内の内角を持つことを特徴とする請求項１に記載のエアフィルタカートリッジ。
【請求項６】
（ａ）ハウジングシール構成物は、基部と圧縮部とを有し、
（i）前記圧縮部は、受け部空間が前記圧縮部の一部と前記媒体パック構成物との間に配置された状態で、前記基部上に支持されていることを特徴とする請求項１に記載のエアフィルタカートリッジ。
【請求項７】
（ａ）前記第１流れ面が入口面であり、
（ｂ）前記第２流れ面が出口面であり、
（ｃ）前記エアフィルタカートリッジが、前記入口面から外側に突き出ているハンドル構成物を含む中央ピースを含み、
（ｄ）前記エアフィルタカートリッジが、上流面に隣接する前記媒体パック構成物の周囲の延長部に配置されたハウジングシール構成物を有することを特徴とする請求項１に記載のエアフィルタカートリッジ。
【請求項８】
（ａ）内部を持ち、入口部分と出口部分とを有するハウジングと、
（ｂ）前記ハウジングの内部に操作可能に配置された請求項１に記載のエアフィルタカートリッジと、
を有することを特徴とするエアクリーナアセンブリ。
【請求項９】
（ａ）前記ハウジングの出口部分は、内壁突起物と、外壁突起物と、中央シール突起物とを有するシール受け部構成物を有し、
（ｂ）前記エアフィルタカートリッジは、基部と圧縮部とを有するハウジングシール構成物を有し、前記基部は、前記媒体パック構成物から間隔をおいて配置されている前記圧縮部の一部が受け部空間を形成する状態で、前記圧縮部を支持しており、
（ｃ）前記エアフィルタカートリッジは、
（i）前記シール受け部構成物の前記内壁突起物が、前記圧縮部の一部と前記媒体パック構成物との間の前記受け部空間に突き出ており、
（ii）前記ハウジングシール構成物の圧縮部は、前記中央シール突起物が前記圧縮部中に押し込まれた状態で、前記ハウジングの入口部分と出口部分の間で圧縮されていることを特徴とする請求項８に記載のエアクリーナアセンブリ。
【請求項１０】
（ａ）単一フェーサ媒体の積層された細長片と、対抗する第１流れ面および第２流れ面とを有する媒体パック構成物であって、
（i）前記第１流れ面がその中にＶ字形のくぼみを持ち、
（ii）前記第２流れ面がその上にＶ字形の突起物を持つ、前記媒体パック構成物と、
（ｂ）前記媒体パック構成物に接着により固定されたプリフォーム構成物であって、
（i）流れ出口を有する、前記媒体パック構成物と、
を有することを特徴とするエアクリーナアセンブリ。
【請求項１１】
エアフィルタカートリッジであって、
（ａ）単一フェーサ媒体の複数の層を含む媒体パック構成物であって、
（i）単一フェーサ媒体の各層は、媒体の対面シートに固定された縦溝流路付きシートを含み、
（ii）前記媒体パック構成物は、入口流れ面と出口流れ面との間に延びている縦溝流路を画定し、
（iii）前記縦溝流路は、前記入口流れ面に隣接して開いている入口縦溝流路の第１組と、前記出口流れ面に隣接して開いていてかつ前記入口流れ面に隣接して閉じている、出口縦溝流路の第２組とを有する、前記媒体パック構成物と、
（ｂ）前記媒体パック構成物は、対向する第１側部端部および第２側部端部を有し、
（ｃ）前記媒体パック構成物の前記第１側部端部に固定され、鋳型成形された第１側部部分と、
（ｄ）前記媒体パック構成物の前記第２側部端部に固定され、鋳型成形された第２側部部分と、
（ｅ）前記媒体パック構成物と前記鋳型成形された第１側部部分と前記鋳型成形された第２側部部分との周囲の延長部に固定されたハウジングシール構成物であって、
（i）基部と圧縮部とを有し、前記圧縮部は、前記圧縮部の一部と前記媒体パック構成物との間に配置された受け部空間を持つ前記基部上に支持されている、前記ハウジングシール構成物と、
（ｆ）前記単一フェーサ媒体の複数の層のうちの選択された２つの層の間に配置される部分を持つ分割部材であって、
（i）前記入口流れ面と出口流れ面とのうちの少なくとも１つから突き出ているハンドル構成物を含む、前記分割部材と、
を有することを特徴とするエアフィルタカートリッジ。
【請求項１２】
エアフィルタカートリッジであって、
（ａ）入口面と出口面との間に延びている縦溝流路を含む媒体パック構成物であって、
（i）前記縦溝流路は、前記入口面に隣接して開いている入口縦溝流路の第１組と、前記出口面に隣接して開いていてかつ前記入口面に隣接して閉じている、出口縦溝流路の第２組とを有し、
（ii）対向する第１側部端部および第２側部端部を有する、前記媒体パック構成物と、
（ｂ）前記媒体パック構成物の前記第１側部端部に固定された第１側部部分であって、
（i）中央の頂点と、前記頂点の対向する側部上の端部エッジとを持つエッジを有する、前記第１側部部分と、
（ｃ）前記媒体パック構成物の前記第２側部端部に固定された第２側部部分であって、
（i）中央の頂点と、前記頂点の対向する側部上の端部エッジとを持つエッジを有する、前記第２側部部分と、
（ii）前記第１側部部分と前記第２側部部分とは、前記媒体パック構成物上に分離しており、
（ｄ）前記媒体パック構成物と、前記第１側部部分と前記第２側部部分の周囲の延長部に配置され固定されている、鋳込み成形されたハウジングシール構成物であって、
（i）基部と圧縮部とを有し、前記圧縮部は、前記圧縮部の一部と前記媒体パック構成物との間に配置された受け部空間を持つ前記基部上に支持されている、前記ハウジングシール構成物と、
を有することを特徴とするエアフィルタカートリッジ。